(57)【要約】【課題】出入口に対する重量の重いガラス製扉の据え付けを一人の作業員でも簡単に調整しながら行なうことができるようにする。【解決手段】建物の出入口の縦枠に取り付けられるベース側金具１と、ガラス製扉５と結合されベース側金具１の軸受け筒部６の上に軸受け筒部７が位置して軸８によりベース側金具１に対して回転自在に支持される扉側金具４とを備え、ベース側金具の軸受け筒部と扉側金具の軸受け筒部にはそれぞれ互いに当接するカム部材９，１０が内蔵されてなる自閉式の蝶番機構であって、ベース側金具の軸受け筒部の下端に内蔵された高さ調整部材１１を軸受け筒部の下方より回転させることにより扉側金具の高さ調整を行なうことができ、また扉側金具の軸受け筒部と一体のベースプレート１７に対しアジャストプレート２０を支持する２本のねじ軸１８，１９を用いてガラス製扉の扉面方向の調整と開き方向角度の調整を行なうことができるようにした。【選択図】    図１
2007046252.tif 000002
【特許請求の範囲】
【請求項１】
建物の出入口の縦枠に取り付けられるベース側金具と、出入口を閉じるガラス製扉と結合され前記ベース側金具の軸受け筒部の上に軸受け筒部が位置して軸によりベース側金具に対して回転自在に支持される扉側金具とを備え、前記ベース側金具の軸受け筒部と扉側金具の軸受け筒部にはそれぞれ互いに当接するカム部材が内蔵され、ガラス製扉が閉じた状態においてベース側金具の軸受け筒部内のカム部材の底部と扉側金具の軸受け筒部内のカム部材の頂点部とが当接し合い、ガラス製扉が開いた状態において両カム部材は頂点部同士で当接し合うように構成されてなる自閉式の蝶番機構であって、前記ベース側金具の軸受け筒部の下端には高さ調整部材が内蔵され、この高さ調整部材を軸受け筒部の下方より回転させることによりこの高さ調整部材の上に載るカム部材、前記軸、扉側金具の軸受け筒部に内蔵されるカム部材、扉側金具の高さ調整を行なうように構成したことを特徴とするガラス製扉用の蝶番機構。
【請求項２】
扉側金具は軸受け筒部と一体のベースプレートと、このベースプレートに２本のねじ軸により支持され扉開き方向とは反対側のベースプレートの面に対向するアジャストプレートと、前記アジャストプレートとの間でガラス製扉の一端側を挟持する押さえプレートと、前記ベースプレートとアジャストプレートと押さえプレートとを連結させるビスとからなり、前記２本のねじ軸の内、何れか一方のねじ軸は締め付け用固定ねじとなり、他方のねじ軸はアジャストプレートの角度調整ねじとなり、ガラス製扉の扉面方向の調整と開き方向角度の調整を行なうように構成したことを特徴とする請求項１記載のガラス製扉用の蝶番機構。
【発明の詳細な説明】
【技術分野】
【０００１】
本発明は、ガラス製扉用の蝶番機構に関するものである。
【背景技術】
【０００２】
従来のこの種蝶番機構としては、例えば特許文献１に開示されているような、固定体に対して扉が開閉自在に取り付けられた取付部分に取り付けられる扉用の蝶番であって、固定体側に取り付けられる固定体側プレートと、扉側に取り付けられる扉側プレートとからなり、該扉側プレートは前記固定体側プレートに対して回動自在に取り付けられ、扉側プレートに対しガラス製の扉が扉の裏側から裏プレートが当てがわれた状態でねじ止めされるようになっているものが知られている。
【特許文献１】特開２０００−１７９２２０号公報
【発明の開示】
【発明が解決しようとする課題】
【０００３】
しかしながら、上記従来の特許文献１に開示されている蝶番の構成では、固定体側プレートに対して回動自在に取り付けられる扉側プレートに対しガラス製の扉が扉の裏側から裏プレートが当てがわれた状態でねじ止めされるようになっているものの、ガラス製扉の建て付けによっては出入口に対し傾きを修正するように合わせる必要があり、その場合、一度取り付けた蝶番を取り外し、干渉部材などを介在させるなどして微調整を繰り返しながらガラス製扉を取り付け直す作業を行なっており、ガラス製扉の重量が重いことから最低二人の人間で作業しなければならないという問題があった。
【０００４】
本発明の目的は、このような課題を解決するものであり、出入口に対する重量の重いガラス製扉の据え付けを一人の作業員でも簡単に調整しながら行なうことができるようにしたガラス製扉用の蝶番機構を提供することにある。
【課題を解決するための手段】
【０００５】
本発明の請求項１に記載のガラス製扉用の蝶番機構は、建物の出入口の縦枠に取り付けられるベース側金具と、出入口を閉じるガラス製扉と結合され前記ベース側金具の軸受け筒部の上に軸受け筒部が位置して軸によりベース側金具に対して回転自在に支持される扉側金具とを備え、前記ベース側金具の軸受け筒部と扉側金具の軸受け筒部にはそれぞれ互いに当接するカム部材が内蔵され、ガラス製扉が閉じた状態においてベース側金具の軸受け筒部内のカム部材の底部と扉側金具の軸受け筒部内のカム部材の頂点部とが当接し合い、ガラス製扉が開いた状態において両カム部材は頂点部同士で当接し合うように構成されてなる自閉式の蝶番機構であって、前記ベース側金具の軸受け筒部の下端には高さ調整部材が内蔵され、この高さ調整部材を軸受け筒部の下方より回転させることによりこの高さ調整部材の上に載るカム部材、前記軸、扉側金具の軸受け筒部に内蔵されるカム部材、扉側金具の高さ調整を行なうように構成したことを特徴とする。
【０００６】
請求項２に記載のガラス製扉用の蝶番機構は、扉側金具は軸受け筒部と一体のベースプレートと、このベースプレートに２本のねじ軸により支持され扉開き方向とは反対側のベースプレートの面に対向するアジャストプレートと、前記アジャストプレートとの間でガラス製扉の一端側を挟持する押さえプレートと、前記ベースプレートとアジャストプレートと押さえプレートとを連結させるビスとからなり、前記２本のねじ軸の内、何れか一方のねじ軸は締め付け用固定ねじとなり、他方のねじ軸はアジャストプレートの角度調整ねじとなり、ガラス製扉の扉面方向の調整と開き方向角度の調整を行なうように構成したことを特徴とする。
【発明の効果】
【０００７】
以上のように、本発明のガラス製扉用の蝶番機構は、ベース側金具の軸受け筒部の下端に内蔵された高さ調整部材を軸受け筒部の下方より回転させることにより扉側金具の高さ調整を行なうことができる。また、ベースプレートに対しアジャストプレートを支持する２本のねじ軸を用いてガラス製扉の扉面方向の調整と開き方向角度の調整を行なうことができ、出入口に対する重量の重いガラス製扉の据え付けを一人の作業員でも簡単に調整しながら行なえるものである。
【発明を実施するための最良の形態】
【０００８】
以下、本発明の一実施の形態を、図１〜図１０に基づき詳細に説明する。
図において、１は建物の出入口２の縦枠３に取り付けられるベース側金具、４は出入口２を閉じるガラス製扉５と結合され前記ベース側金具１の軸受け筒部６の上に軸受け筒部７が位置して軸８によりベース側金具１に対して回転自在に支持される扉側金具である。前記ベース側金具１の軸受け筒部６と扉側金具４の軸受け筒部７にはそれぞれ互いに当接するカム部材９，１０が内蔵され、カム部材９，１０の中心に形成された孔部９ａ，１０ａに前記軸８が差し込まれてベース側金具１に対して扉側金具４が回転自在となる。前記ガラス製扉５が閉じた状態においてカム部材９の底部とカム部材１０の頂点部とが当接し合い、ガラス製扉５が開いた状態において両カム部材９，１０は頂点部同士で当接し合うように両カム部材９，１０には傾斜カム面９ｂ，１０ｂが形成されている。即ち、ガラス製扉５が開いている状態においては傾斜カム面９ｂ，１０ｂの頂点部同士が当接し合うことになって扉側金具４に支持されているガラス製扉５が持ち上がるように開かれており、ガラス製扉５が閉じられるときは扉側金具４のカム部材１０の傾斜カム面１０ｂの頂点部がベース側金具１のカム部材９の傾斜カム面９ｂ上を下降するように移動してガラス製扉５は自閉するようになる。さらに詳しくは、前記ベース側金具１の軸受け筒部６に内蔵されるカム部材９の上端の傾斜カム面９ｂは周方向長さを左右に２等分する位置を境に左側半分には深さの浅いＶ状の傾斜カム面９ｂ’を備えるとともに、右側半分には深さの深いＶ状の傾斜カム面９ｂ”を備え、これら傾斜カム面９ｂ’と傾斜カム面９ｂ”の境界部に頂点部９ｃ，９ｄが形成され、各頂点部９ｃ，９ｄには溝９ｃ’，９ｄ’が形成されている。前記扉側金具４の軸受け筒部７に内蔵されるカム部材１０の下端の傾斜カム面１０ｂは前記カム部材９の傾斜カム面９ｂの左側半分と向き合って動作するように構成され、深さの浅い傾斜カム面９ｂ’が左側半分に位置するときはガラス製扉５側のカム部材１０の傾斜カム面１０ｂの頂点部１０ｃは遅い速度でカム部材９の傾斜カム面９ｂ’上を下降するように回動し、軸受け筒部６におけるカム部材９の向きが変わるようにカム部材９を差し替えて深さの深い傾斜カム面９ｂ”が左側半分に位置するようにセットしたときはガラス製扉５側のカム部材１０の傾斜カム面１０ｂの頂点部１０ｃは早い速度でカム部材９の傾斜カム面９ｂ”上を下降するように回動することになる。そして、前記ガラス製扉５が開かれたときガラス製扉５側の傾斜カム面１０ｂの頂点部１０ｃは頂点部９ｃ，９ｄの何れか一方の溝９ｃ’，９ｄ’に嵌り込み、ガラス製扉５が開いた状態を保持し、ガラス製扉５を手で閉じる方向に押すことにより何れか一方の溝９ｃ’，９ｄ’から頂点部１０ｃが外れ、傾斜カム面９ｂに沿ってガラス製扉５は自閉する。さらに、前記ベース側金具１の軸受け筒部６にカム部材９が内蔵される前に軸受け筒部６の下端には上方より高さ調整部材１１が挿入され、この高さ調整部材１１の下端に形成された六角孔１１ａに軸受け筒部６の底部に形成された孔１２より六角レンチを差し込んで高さ調整部材１１を軸受け筒部６の底部のねじ孔１３に螺合させ、高さ調整部材１１の上端高さ位置を調整できるようになっている。この高さ調整部材１１の上にはボール部材１４が載せられ、このボール部材１４の上に前記カム部材９の下端が載るとともに前記孔部９ａに差し込まれた軸８が載ることになる。このようにベース側金具１の軸受け筒部６の底部に設けられた高さ調整部材１１の高さ調整によりベース側金具１側のカム部材９に載るカム部材１０を備える軸受け筒部７は扉側金具４およびガラス製扉５側と一体に上下に微調整される。他方、扉側金具４の軸受け筒部７の内部には前述のカム部材１０が挿入され、このカム部材１０の上端のねじ孔１５に軸受け筒部７の上端を閉じるキャップ１６を螺合させるようになっている。
【０００９】
次に、前記軸受け筒部７を備える扉側金具４は軸受け筒部７と一体のベースプレート１７と、このベースプレート１７に２本のねじ軸１８，１９により支持され扉開き方向とは反対側のベースプレート１７の面に対向するアジャストプレート２０と、ベースプレート１７の扉開き方向側の面を覆うカバー２１と、前記アジャストプレート２０との間でガラス製扉５の一端側を挟持する押さえプレート２２と、前記カバー２１とアジャストプレート２０と押さえプレート２２とを結合させるビス２３とからなり、前記アジャストプレート２０と押さえプレート２２との対向面にはパッキン材２４，２５が装着されている。さらに詳しくは、前記２本のねじ軸１８，１９の内、軸受け筒部７側に近い一方のねじ軸１８は締め付け用固定ねじとなり、軸受け筒部７から遠い他方のねじ軸１９はアジャストプレート２０の角度調整ねじとなる。前記一方のねじ軸１８の頭部はベースプレート１７に形成された横向きの長孔１７ａに係合し、このねじ軸１８の先端はアジャストプレート２０に形成されたねじ孔２０ａに螺合している。このねじ軸１８の頭部には六角孔１８ａが形成されている。また、前記他方のねじ軸１９の頭部はベースプレート１７に形成されたねじ孔１７ｂに螺合し、このねじ軸１８の先端はアジャストプレート２０に形成された横向きの長孔２０ｂに係合している。また、前記カバー２１には前記一方のねじ軸１８の位置に前記六角孔１８ａに六角レンチを係合させるための丸孔２１ａが形成されるとともに前記他方のねじ軸１９の位置にねじ軸１９の頭部の六角孔１９ａに六角レンチを係合させるための横向きの長孔２１ｂが形成され、さらにはカバー２１とアジャストプレート２０と押さえプレート２２とを結合させるビス２３を挿通させこのビス２３の頭部を係合させるための丸孔２１ｃが形成されている。前記アジャストプレート２０には前記ビス２３を挿通させる丸孔２０ｃが形成されており、前記押さえプレート２２にはビス２３を螺合させるねじ孔２２ａが形成されている。さらに、前記ベースプレート１７にはビス２３の位置で横向きの長孔１７ｃが形成されている。また、扉側金具４の軸受け筒部７とベースプレート１７との繋がり部近傍においてベースプレート１７に形成された凹凸部１７ｄに係止するようにアジャストプレート２０の一端側には爪部２０ｄが形成されている。なお、前記押さえプレート２２とビス２３との連結部を避けるようにガラス製扉５には丸孔５ａが形成されている。
【００１０】
上記構成において、ガラス製扉５の上下両端近傍部の２箇所を支持するように建物の出入口２の縦枠３にベース側金具１を取り付け、このベース側金具１に対して回転自在に支持される扉側金具４にガラス製扉５が取り付けられる。具体的には、ガラス製扉５は前記カバー２１の外側よりビス２３の頭部の六角孔２３ａに六角レンチを係合させてビス２３を締め付けることによりアジャストプレート２０と押さえプレート２２との間で挟持される。かかる状態でガラス製扉５の位置調整を行なうのであるが、ガラス製扉５の高さ調整は前述のようにベース側金具１の軸受け筒部６の底部に設けられた高さ調整部材１１の高さ調整により行なわれる。また、ガラス製扉５を扉面方向にずらしたい場合は、前記一方のねじ軸１８は締め付けを緩め、アジャストプレート２０と一体にガラス製扉５を扉面方向に動かして微調整した後、一方のねじ軸１８を締め付ければ良い（図９参照）。さらに、ガラス製扉５の開き方向角度を調整したい場合は、前記一方のねじ軸１８は締め付けを緩めた状態で前記他方のねじ軸１９を時計方向もしくは反時計方向に回してベースプレート１７に対するアジャストプレート２０の角度を調整し、その後一方のねじ軸１８を締め付ければ良い（図１０参照）。
【００１１】
ところで、本実施の形態では２本のねじ軸１８，１９の内、軸受け筒部７側に近い一方のねじ軸１８を締め付け用固定ねじとし、軸受け筒部７から遠い他方のねじ軸１９をアジャストプレート２０の角度調整ねじとしてあるが、一方のねじ軸１８で角度調整を行ない、他方のねじ軸１９で締め付け固定を行なうようにしても良い。
【図面の簡単な説明】
【００１２】
【図１】本発明の一実施の形態におけるガラス製扉用の蝶番機構の分解斜視図である。
【図２】同蝶番機構を用いてガラス製扉を取り付けた状態を示す正面図である。
【図３】図２のＡ−Ａ断面図である。
【図４】図２のＢ−Ｂ断面図である。
【図５】同ベース側金具の軸受け筒部に内蔵されたカム部材の上端の拡大斜視図である。
【図６】同ベース側金具の軸受け筒部に内蔵されたカム部材の向きを変えた状態を示すカム部材の上端の拡大斜視図である。
【図７】同ベース側金具の軸受け筒部に内蔵されたカム部材と扉側金具の軸受け筒部に内蔵されたカム部材との関係を示す要部拡大斜視図である。
【図８】同ベース側金具の軸受け筒部の底部に内蔵された高さ調整部材により高さを変えた状態を示す要部拡大一部きり欠き正面図である。
【図９】同扉側金具によりガラス製扉を扉面方向にずらした状態を示す扉側金具の断面図である。
【図１０】同扉側金具によりガラス製扉の開き方向角度を調整した状態を示す扉側金具の断面図である。
【符号の説明】
【００１３】
１                ベース側金具
２                出入口
３                縦枠
４                扉側金具
５                ガラス製扉
６，７            軸受け筒部
８                軸
９，１０          カム部材
９ａ，１０ａ      孔部
９ｂ，１０ｂ      傾斜カム面
９ｂ’，９ｂ”    傾斜カム面
９ｃ，９ｄ        頂点部
９ｃ’，９ｄ’    溝
１０ｃ            頂点部
１１                高さ調整部材
１１ａ              六角孔
１２                孔
１３                ねじ孔
１４                ボール部材
１５                ねじ孔
１６                キャップ
１７                ベースプレート
１７ａ              長孔
１７ｂ              ねじ孔
１７ｃ              長孔
１８，１９          ねじ軸
２０                アジャストプレート
２０ａ              ねじ孔
２０ｂ              長孔
２０ｃ              丸孔
２１                カバー
２１ａ              丸孔
２１ｂ              長孔
２１ｃ              丸孔
２２                押さえプレート
２２ａ              ねじ孔
２３                ビス
【図１】
2007046252.tif 000003
【図２】
2007046252.tif 000004
【図３】
2007046252.tif 000005
【図４】
2007046252.tif 000006
【図５】
2007046252.tif 000007
【図６】
2007046252.tif 000008
【図７】
2007046252.tif 000009
【図８】
2007046252.tif 000010
【図９】
2007046252.tif 000011
【図１０】
2007046252.tif 000012